(57)【要約】      （修正有）【課題】施工中に降雨があったとしても屋内への漏水を防止でき、工期の維持を容易に図ることのできる建造物の隅角部における防水シート施工方法の提供。【解決手段】床側フランジ片１ａと壁側フランジ片１ｂとからなり床側フランジ片１ａに固定具孔２が設けられた断面Ｌ字状の固定片１を床側フランジ片１ａと平面床６ａとの間に粘着剤または接着剤からなる接合剤４を介在させることによって建造物の隅角部に仮固定する第１の工程と、立ち上がり壁に沿って第１の防水シート５ａを敷設するとともに、第１の防水シート５ａと固定片における壁側フランジ片１ｂとの所要部を接合する第２の工程と、固定具３を前記固定具孔２に挿通して、固定片１を平面床６ａに固定する第３の工程と、平面床６ａに沿って第２の防水シート５ｂを敷設するとともに、第２の防水シート５ｂと固定片１における床側フランジ片１ａとの所要部を接合する第４の工程とを、この順で行う。【選択図】図２
2007070877.tif 000002
【特許請求の範囲】
【請求項１】
平面床と立ち上がり壁とで形成された建造物の隅角部を絶縁工法により防水施工する防水シートの施工方法において、床側フランジ片と壁側フランジ片とからなり床側フランジ片に固定具孔が設けられた断面Ｌ字状の固定片を、床側フランジ片と平面床との間に粘着剤または接着剤からなる接合剤を介在させることによって建造物の隅角部に仮固定する第１の工程と、立ち上がり壁に沿って第１の防水シートを敷設するとともに、第１の防水シートと前記固定片における壁側フランジ片との所要部を接合する第２の工程と、前記固定具孔に固定具を挿通して、固定片を平面床に固定する第３の工程と、平面床に沿って第２の防水シートを敷設するとともに、第２の防水シートと前記固定片における床側フランジ片との所要部を接合する第４の工程とを、この順で行うことを特徴とする建造物の隅角部における防水シートの施工方法。
【請求項２】
前記粘着剤が、ゴム系粘着剤であることを特徴とする請求項１に記載の防水シートの施工方法。
【請求項３】
前記接着剤が、エポキシ樹脂系接着剤であることを特徴とする請求項１に記載の防水シートの施工方法。
【発明の詳細な説明】
【技術分野】
【０００１】
この発明は、例えば屋上、ベランダ、バルコニー、陸屋根、プール、水槽など、平面床と立ち上がり壁とで形成された建造物の隅角部を絶縁工法により防水施工する建造物の隅角部における防水シートの施工方法に関する。
【背景技術】
【０００２】
従来、屋上、ベランダ、バルコニー、陸屋根、プール、水槽などの建造物を防水施工する構造としては、図３に示すように、平面床６ａと立ち上がり壁６ｂとで構成される隅角部に断面Ｌ字状の固定片１を配置するとともに、平面床６ａの所要箇所にディスク状の防水シート接合用の固定片１１を配置し、また立ち上がり壁６ｂの上端部には帯状または断面Ｌ字状の固定片２１を配置し、これらを皿ネジなどの固定具３によって平面床６ａ、立ち上がり壁６ｂのそれぞれに固定した後、固定片１、１１、２１を覆うように立ち上がり壁６ｂおよび平面床６ａから合成樹脂製の防水シート５ａ、５ｂを敷設して、防水シート５ａ、５ｂと固定片１、１１、２１の所要部、および防水シート５ａ、５ｂどうしの重なり部を溶剤溶着あるいは熱融着によって接合する、いわゆる絶縁工法による防水シートの施工構造が採用されている。（特許文献１）
【０００３】
その建造物の隅角部における防水シートの施工方法は、通常、つぎのような手順でなされている。
【０００４】
まず、図４（ａ）に示すように、平面床６ａと立ち上がり壁６ｂとから形成される隅角部に対して、床側フランジ片１ａと壁側フランジ片１ｂとからなり、床側フランジ片１ａの所要箇所に固定具孔２が設けられた断面Ｌ字状の固定片１を配置する。
【０００５】
つぎに（ｂ）に示すように、床側フランジ片１ａにおける固定具孔２に皿ネジなどの固定具３を挿通し、平面床６ａに螺着または楔着することで、固定片１を平面床６ａに固定する。
【０００６】
つぎに、（ｃ）に示すように、立ち上がり壁６ｂに沿って第１の防水シート５ａを敷設し、防水シート５ａと固定片１における壁側フランジ片１ｂの所要部とを、同図の×印に示すように、溶剤溶着や熱融着によって接合する。
【０００７】
つぎに（ｄ）に示すように、平面床６ａから立ち上がり壁６ｂにかけて、第２の防水シート５ｂを敷設し、防水シート５ｂと床側フランジ片１ａ、防水シート５ｂと壁側フランジ片１ｂ、および防水シート５ｂと防水シート５ａとの所要部を、同図の×印に示すように、溶剤溶着や熱融着によって接合する。そして、第２の防水シート５ｂにおける端縁の小口にシーリング材７を塗布して、施工を終了する。
【特許文献１】特開昭５３−３１３２４号（図１）
【発明の開示】
【発明が解決しようとする課題】
【０００８】
しかしながら、上記従来技術による施工方法によれば、図４（ｂ）に示す、固定具を平面床に対して螺着または楔着した時点から、同図（ｄ）に示す、第２の防水シートと床側フランジ片との所要部を接合するまでの間には、同図（ｃ）に示す、立ち上がり壁に沿って第１の防水シートを敷設し、壁側フランジ片と第１の防水シートとを接合する作業工程があり、その作業中に降雨があれば、平面床に螺着または楔着によってあけられた床穴から雨水が浸入し、平面床内部に浸透していくことで、建造物の屋内に漏水が発生する問題があった。
【０００９】
そのような問題から、施工作業者は、天候を見計らって工事を行う必要が生じ、降雨がおこりそうな場合には、やむを得ず工事を延期しなければならない事態が発生する場合もあった。
【００１０】
そこで、本発明は、上記の問題を解決するために、平面床と立ち上がり壁とで形成された建造物の隅角部を絶縁工法によって行う防水シートの施工方法において、施工中に降雨があったとしても建造物の屋内への漏水を防止できるとともに、工期の維持を容易にはかることのできる建造物の隅角部における防水シートの施工方法を提供することを目的とする。
【課題を解決するための手段】
【００１１】
すなわち、本発明は、平面床と立ち上がり壁とで形成された隅角部を絶縁工法により防水施工する防水シートの施工方法において、床側フランジ片と壁側フランジ片とからなり床側フランジ片に固定具孔が設けられた断面Ｌ字状の固定片を、床側フランジ片と平面床との間に粘着剤または接着剤からなる接合剤を介在させることによって建造物の隅角部に仮固定する第１の工程と、立ち上がり壁に沿って第１の防水シートを敷設するとともに、第１の防水シートと前記固定片における壁側フランジ片との所要部を接合する第２の工程と、前記固定具孔に固定具を挿通して、固定片を平面床に固定する第３の工程と、平面床に沿って第２の防水シートを敷設するとともに、第２の防水シートと前記固定片における床側フランジ片との所要部を接合する第４の工程とを、この順で行うことを特徴とする建造物の隅角部における防水シートの施工方法を要旨とする。（請求項１）
【００１２】
また、この方法で使用される粘着剤としては、ゴム系粘着剤であることが好ましい。（請求項２）
【００１３】
また、この方法で使用される接着剤としては、エポキシ樹脂系接着剤であることが好ましい。（請求項３）
【発明の効果】
【００１４】
請求項１にかかる発明によれば、第１の工程として、断面Ｌ字状の固定片を粘着剤または接着剤からなる接合剤で予め平面床に仮固定しておくことで、固定具の平面床への螺着または楔着による固定は、平面床に敷設する第２の防水シートと床側フランジを接合する前に行えばよいこととなるために、施工中に降雨があっても、雨水が平面床にあけられた床面穴に浸入することを防止することができ、すなわち建造物の漏水の発生を防止することができる。また、天候を気にすることなく工事が進められ、工期の維持管理を容易にはかることができる。
【００１５】
請求項２にかかる発明によれば、前記接合剤における粘着剤をゴム系粘着剤とすることで、そのゴム系粘着剤の優れた粘着力により、固定片の仮固定を確実に行うことができ、施工作業性を向上させることができる。
【００１６】
また、請求項３にかかる発明によれば、前記接合剤における接着剤をエポキシ樹脂系接着剤とすることで、そのエポキシ樹脂系接着剤の高湿度環境下での優れた接着力により、雨などで平面床が湿気を含んだ状態であっても、床側フランジ片が平面床から剥離することが防止され、雨天時などの施工作業性をとくに向上させることができる。
【発明を実施するための最良の形態】
【００１７】
図１は、本発明にかかる防水シートの施工方法によって得られた屋上における建造物の施工構造を示した斜視図であり、図２は、この施工構造を得るための本発明にかかる建造物の隅角部における防水シートの施工方法を示した断面図である。
【００１８】
図１に示す防水シートの施工構造は、図３に示した従来技術における防水シートの施工構造と比べ、平面床６ａと断面Ｌ字状の固定片１の床側フランジ１ａとの間に接合剤４が介在されている点で異なっている。
【００１９】
以下、本発明の実施形態を図２にしたがって説明する。
【００２０】
まず、図２(ａ)に示すように、床側フランジ片１ａと壁側フランジ片１ｂとからなり、床側フランジ片１ａに固定具孔２が設けられた断面Ｌ字状の固定片１を、この床側フランジ片１ａと平面床６ａとの間に粘着剤または接着剤からなる接合剤４を介在させ、床側フランジ片１ａを上から押圧することによって建造物の隅角部に仮固定する。これを第１の工程とする。
【００２１】
ここで、固定片１は、金属材を芯材としてその表面にポリ塩化ビニル系樹脂やオレフィン系樹脂などの合成樹脂が被覆された合成樹脂被覆鋼板などが代表的なものとしてあげられる。ただし、防水シートを接合させるための固定片であれば、その材質に制限はなく、例えば、合成樹脂製のものも採用されることができる。
【００２２】
平面床６ａは、コンクリート、ＡＬＣ、金属などが代表的なものとしてあげられるが、これだけに限らず、これら下地の上に敷設されたアスファルト防水におけるアスファルト、塗膜防水材における塗膜、シート防水における防水シートなどの既設の防水層も含まれるものである。
【００２３】
本発明にかかる接合剤４は、粘着剤または接着剤からなるもので、固定片１と平面床６ａとを仮固定するためのものであり、仮固定するに十分な固着機能を有すものであれば、その選択に制限はない。例えば、粘着剤としては、ブチルゴム系、アクリルゴム系、ウレタンゴム系、シリコンゴム系などのゴム系粘着剤、接着剤としては、硬化後においてもゴム弾性を示すエポキシ樹脂系、ウレタン樹脂系、シリコーン樹脂系、変性シリコーン樹脂系、アクリルウレタン樹脂系、酢酸ビニル樹脂系などの合成樹脂系接着剤、ニトリルゴム系、クロロプレンゴム系などの合成ゴム系接着剤が代表的なものとしてあげられる。  
【００２４】
このうち、粘着剤としては、ゴム系粘着剤であるのが好ましい。なかでもブチルゴム系粘着剤がとくに好適なものとしてあげられる。ゴム系粘着剤は、酸、アルカリ、水などの耐性にも優れる上に、金属や合成樹脂からなる固定片、およびコンクリート、ＡＬＣ、金属、アスファルト、合成樹脂などからなる平面床と優れた粘着力を示し、その後の工程の壁側フランジ片と第１の防水シートとの接合作業時においても、床側フランジ片が平面床から剥離するのを確実に防止し、施工作業性を向上させることができる。
【００２５】
また、取り扱い性、貼着直後の粘着力の発現性の点からは、ブチルゴム系の両面テープが採用されるのが好ましい。またコストなど経済性を考慮すれば、ブチルゴム系粘着剤を塊状（団子状）にしたものが採用されてもよい。
【００２６】
接着剤としてはエポキシ樹脂系接着剤がとくに好適なものとしてあげられる。エポキシ樹脂系接着剤は、酸、アルカリ、水などの耐性に優れるとともに、とくに高湿度によっても接着力が低下しにくいため、雨などにより湿気を含んでいる平面床に対しても仮固定がとくに良好なものとなる。なかでも、硬化収縮の少ない湿気硬化型、または反応硬化型のもので、平面床など下地躯体と追従性のある弾性タイプのものが選択されるのが好ましい。また、取り扱い性や、仕上がりの外観を考慮すると、粘度の高いものの方がより望ましい。
【００２７】
上記第１の工程の後には、図２（ｂ）に示すように、立ち上がり壁６ｂに沿って第１の防水シート５ａを敷設し、第１の防水シート５ａと壁側フランジ片１ｂとの所要部を同図の×印に示すように接合する。これを第２の工程とする。
【００２８】
第１の防水シート５ａは、後述する第２の防水シート５ｂも含め、合成樹脂からなる軟質または半硬質系のシートであり、従来の絶縁工法に常用されているものであれば、どのような材質のものでもよく、例えば軟質塩化ビニル樹脂製シートやオレフィン系樹脂製シートの単層からなるものの他、合成樹脂繊維やガラス繊維などのネットが間に介装され補強された複層のものも好適に用いられる。そのシート厚さについては、１．２〜３．０ｍｍの範囲のものが好適に採用される。
【００２９】
また、防水シートの接合方法については、絶縁工法で一般的に採用されている溶剤溶着や熱融着による接合方法が適用されるが、これだけに制限されることはない。
【００３０】
上記第２の工程の後には、図２（ｃ）に示すように、固定片１における固定具孔２に固定具３を挿通して、平面床６ａに螺着または楔着し、固定片１を平面床６ａに固定する。これを第３の工程とする。
【００３１】
ここで、固定具３は、絶縁工法として平面床６ａを構成するコンクリートなどの躯体を固定するために主に用いられる皿ネジ、平ネジ、丸ネジ、ビス、打ち込み釘などからなるものが使用でき、なかでも金属製からなる皿ネジが好適なものとして使用される。
【００３２】
上記第３の工程の後には、図２（ｄ）に示すように、平面床６ａから立ち上がり壁６ｂに沿って第２の防水シート５ｂを敷設し、第２の防水シート５ｂと固定片１における床側フランジ片１ａとの所要部を同図の×印に示すように接合する。これを第４の工程とする。
【００３３】
第４の工程の後には、さらに第２の防水シート５ｂと壁側フランジ片１ｂの所要部、および第２の防水シート５ｂと第１の防水シート５ａとの所要部を同図の×印に示すように、溶剤溶着や熱融着によって接合し、最後に第２の防水シート５ｂにおける端縁の小口にシーリング材７を塗布して、施工を終了する。
【００３４】
なお、上述した実施形態については、平面床６ａの上面に直接、第２の防水シート５ｂが敷設される方法を例示したが、例えば、第２の防水シート５ｂと平面床６ａとの間に、ポリエチレン樹脂製クロス、発泡合成樹脂シート、アルミ箔のラミネートシート、などの補助シートが介されてもよいし、さらに第１の防水シート５ａと立ち上がり壁６ｂとの間に、前記補助シートが介されてもよい。
【００３５】
以上のように、本発明は、第１から第４までの工程をこの順で行うことを特徴とするものであり、図２（ｃ）に示す、固定具３の平面床６ａへの螺着または楔着を行う第３の工程の後に引き続き、同図（ｄ）に示す平面床６ａから第２の防水シート５ｂを敷設し、第２の防水シート５ｂと床側フランジ片１ａとの所要部を接合する第４の工程がなされるため、施工中に降雨があったとしても、雨水が平面床にあけられた床穴に浸入することが防止され、建造物の屋内への漏水の発生を防止することができる。また、天候に左右されにくく、工期の維持を容易にはかることができる。
【実施例】
【００３６】
つぎに、本発明にかかる実施例を説明する。
【００３７】
＜実施例１＞
まず、平面床と立ち上がり壁とで形成された隅角部に、床側フランジ片と壁側フランジ片とからなり、床側フランジ片の所要箇所に４個の固定具孔が設けられた、厚さ１．５ｍｍ、各フランジ幅６０ｍｍ、長さ２ｍの断面Ｌ字状のポリ塩化ビニル樹脂被覆鋼板を、床側フランジ片と平面床との間に接合剤を介在させることによって、建造物の隅角部に仮固定した。このとき、平面床は乾燥状態とした。接合剤は、ブチルゴム系両面粘着テープ（日本シーカ社製）を使用し、固定片の裏面、つまり平面床を仮固定する面に、幅３５ｍｍ、長さ５０ｍｍのサイズで略等間隔に４箇所貼り付けた。これを第１工程とした。
【００３８】
つぎに、立ち上がり壁に沿って、厚さ２ｍｍのポリ塩化ビニル系樹脂からなる第１の防水シートを敷設するとともに、第１の防水シートと固定片における壁側フランジ片との所要部を溶剤溶着により接合した。これを第２工程とした。
【００３９】
つぎに、皿ネジからなる固定具を固定具孔に挿通して、平面床に螺着し、固定片を平面床に固定した。これを第３工程とした。
【００４０】
つぎに、平面床に沿って同じく厚さ２ｍｍのポリ塩化ビニル系樹脂からなる第２の防水シートを敷設するとともに、第２の防水シートと固定片における床側フランジ片との所要部、および第２の防水シートと第１の防水シートとの重なり部どうしを溶剤溶着により接合した。これを第４工程とした。
【００４１】
第４工程の後には、第２の防水シートの端縁の小口にシーリング材を塗布して、シーリング処理を施して、施工を終了した。
【００４２】
得られた防水シートの敷設構造に対して、以下の評価を行った。
＜防水性＞
第２工程の後において、固定片の上方位置に散水を行い、平面床への水の滲みこみ量を測定した。測定は平面床上に残った水量を調べ、散水した水量に変化がなかった場合を良好（○）、水量が減少した場合を不良（×）とした。
＜接合性＞
第１工程の後に、固定片をばね秤で垂直方向に引張り、その引張り強さを測定した。１５ｋｇ以上でも接合が維持されており、剥離などの変化がなかった場合を良好（○）、１５ｋｇ未満で、剥離などの変化がみられた場合を不良（×）とした。
＜施工作業性＞
第１工程時における、仮固定にかかる作業時間（固定力が発現するまでの時間）を測定した。仮固定直後から１日未満に粘着力または接着力を発現する場合をとくに良好（◎）、１日以上３日未満に発現する場合を良好（○）、３日以上かかる場合を不良（×）とした。
【００４３】
その結果を表１に記す。
【表１】
2007070877.tif 000003
【００４４】
＜実施例２＞
第１工程における平面床の状態を湿潤状態とし、接合剤を弾性エポキシ樹脂系接着剤（コニシ社製）とし、接合剤の塗布・貼り付けはφ３０ｍｍの団子状で略等間隔に４箇所に変更した以外は、実施例１と同様にして、防水シートの施工を行った。このとき、得られた防水シートの敷設構造に対し、実施例１と同様の評価を行った。その結果を併せて表１に記す。
【００４５】
＜実施例３＞
第１工程における平面床の状態を湿潤状態とし、接合剤をウレタン系接着剤（ノーテープ工業社製）とし、接合剤の塗布・貼り付けはφ３０ｍｍの団子状で略等間隔に４箇所に変更した以外は、実施例１と同様にして、防水シートの施工を行った。このとき、得られた防水シートの敷設構造に対し、実施例１と同様の評価を行った。その結果を併せて表１に記す。
【００４６】
＜比較例１＞
まず、平面床と立ち上がり壁とで形成された隅角部に、実施例１と同様の床側フランジ片と壁側フランジ片とからなり、床側フランジ片の所要箇所に固定具孔が設けられた、断面Ｌ字状のポリ塩化ビニル樹脂被覆鋼板からなる固定片を建造物の隅角部に配置した。これを第１工程とした。
【００４７】
つぎに、皿状ネジからなる固定具を固定具孔に挿通して、平面床に螺着し、固定片を平面床に固定した。これを第２工程とした。
【００４８】
つぎに、立ち上がり壁に沿って厚さ２ｍｍのポリ塩化ビニル系樹脂からなる第１の防水シートを敷設するとともに、第１の防水シートと固定片における壁側フランジ片との所要部を溶剤溶着により接合した。これを第３工程とした。
【００４９】
つぎに、平面床に沿って同じく厚さ２ｍｍのポリ塩化ビニル系樹脂からなる第２の防水シートを敷設するとともに、第２の防水シートと固定片における床側フランジ片との所要部、および第２の防水シートと第１の防水シートとの重なり部どうしを溶剤溶着により接合した。これを第４工程とした。
【００５０】
第４工程の後には、第２の防水シートの端縁の小口にシーリング材を塗布して、シーリング処理を施して、施工を終了した。
【００５１】
得られた防水シートの敷設構造に対し、実施例１と同様の評価を行った。ただし、このとき接合性における評価は、第１工程の後に替えて、第２工程の後とした。また、施工作業性における評価は、仮固定手段を用いていないことから、とくに良好と判断した。その結果を併せて表１に記す。
【００５２】
表１からわかるように、実施例に記した本発明の建造物の隅角部における防水シートの敷設方法、およびその施工構造においては、防水性、接合性、施工作業性のいずれにおいても良好な結果であった。それに対し、比較例に記した従来技術における防水シートの敷設方法、およびその施工構造においては、防水性における評価に劣るものであった。
【図面の簡単な説明】
【００５３】
【図１】本発明にかかる建造物の隅角部における防水シートの施工方法により得られた防水施工構造を示した斜視図である。
【図２】本発明にかかる建造物の隅角部における防水シートの施工方法を説明するための断面図である。
【図３】従来の絶縁工法が採用された防水シートの施工構造を示す斜視図である。
【図４】従来の建造物の隅角部における防水シートの施工方法を説明するための断面図である。
【符号の説明】
【００５４】
１  固定片
１ａ  床側フランジ片
１ｂ  壁側フランジ片
２  固定具孔
３  固定具
４  接合剤
５ａ  第１の防水シート
５ｂ  第２の防水シート
６ａ  平面床
６ｂ  立ち上がり壁
７  シーリング材
【図１】
2007070877.tif 000004
【図２】
2007070877.tif 000005
【図３】
2007070877.tif 000006
【図４】
2007070877.tif 000007